(57)【要約】  本発明にかかるレートスケジューリング方法にあっては、たとえば、各端末が、レート要求コマンドを生成し、当該レート要求コマンドを、ＤＰＣＣＨ無線フレーム中のＦＢＩフィールドを用いて基地局に対して送信するレート要求送信ステップと、前記基地局が、各端末から送られてくるレート要求コマンドに基づいてリソース割り当てを行い、その結果をレート許可コマンドとして各端末に対して返信するレート許可送信ステップと、を含む。【特許請求の範囲】
【請求項１】
基地局が、通信システムを構成する各端末から送られてくるレート要求コマンドに基づいて、上りリンクのリソース割り当てを行うレートスケジューリング方法において、
前記各端末が、レート要求コマンドを生成し、当該レート要求コマンドを、ＤＰＣＣＨ（Dedicated  Physical  Control  CHannel）無線フレーム中のＦＢＩ（Feedback  Information）フィールドを用いて基地局に対して送信するレート要求送信ステップと、
前記基地局が、各端末から送られてくるレート要求コマンドに基づいてリソース割り当てを行い、その結果をレート許可コマンドとして各端末に対して返信するレート許可送信ステップと、
を含むことを特徴とするレートスケジューリング方法。
【請求項２】
前記レート要求コマンドを、送信すべきデータのバッファ量に応じて生成することを特徴とする請求項１に記載のレートスケジューリング方法。
【請求項３】
前記各端末が、
初期設定として、送信データ量の上限値および送信データ量の基準値を受信し、
前記バッファ量に基づいて、前記基準値を超えるデータ量（前記上限値以下）の送信を要求するためのレート要求コマンド、前記基準値と同程度のデータ送信を要求するためのレート要求コマンド、または前記基準値未満のデータ量の送信を要求するためのレート要求コマンド、を送信することを特徴とする請求項２に記載のレートスケジューリング方法。
【請求項４】
前記ＦＢＩフィールドの所定の１ビットを用いて前記レート要求コマンドを送信することを特徴とする請求項１に記載のレートスケジューリング方法。
【請求項５】
前記ＤＰＣＣＨ無線フレームを構成する全てのスロット内の、ＦＢＩフィールドの所定の１ビット（全スロットに相当するビット数）を用いて、前記レート要求コマンドを送信することを特徴とする請求項１に記載のレートスケジューリング方法。
【請求項６】
前記ＤＰＣＣＨ無線フレームを構成する１つのスロット内の、ＦＢＩフィールドの所定の１ビットを用いて、前記レート要求コマンドを送信し、
さらに、前記ＤＰＣＣＨ無線フレームを構成する残りのスロット内の、ＦＢＩフィールドの所定の１ビット（残りのスロットに相当するビット数）を用いて、セルやセクタを指示するための情報を送信することを特徴とする請求項１に記載のレートスケジューリング方法。
【請求項７】
基地局が、通信システムを構成する各端末から送られてくるレート要求コマンドに基づいて、上りリンクのリソース割り当てを行うレートスケジューリング方法において、
前記各端末が、レート要求コマンドを生成し、当該レート要求コマンドを、ＭＡＣシグナリングにおけるトランスポートブロックを用いて基地局に対して送信するレート要求送信ステップと、
前記基地局が、各端末から送られてくるレート要求コマンドに基づいてリソース割り当てを行い、その結果をレート許可コマンドとして各端末に対して返信するレート許可送信ステップと、
を含むことを特徴とするレートスケジューリング方法。
【請求項８】
前記レート要求コマンドを、送信すべきデータのバッファ量に応じて生成することを特徴とする請求項７に記載のレートスケジューリング方法。
【請求項９】
前記各端末が、
初期設定として、送信データ量の上限値および送信データ量の基準値を受信し、
前記バッファ量に基づいて、前記基準値を超えるデータ量（前記上限値以下）の送信を要求するためのレート要求コマンド、前記基準値と同程度のデータ送信を要求するためのレート要求コマンド、または前記基準値未満のデータ量の送信を要求するためのレート要求コマンド、を送信することを特徴とする請求項８に記載のレートスケジューリング方法。
【請求項１０】
前記トランスポートブロックの所定の１ビットを用いて前記レート要求コマンドを送信することを特徴とする請求項７に記載のレートスケジューリング方法。
【請求項１１】
前記トランスポートブロックの所定の複数ビットを用いて、前記レート要求コマンドおよびセルやセクタを指示するための情報を送信することを特徴とする請求項７に記載のレートスケジューリング方法。
【請求項１２】
上りリンクのリソース割り当てを行う基地局とともに無線通信システムを構成する端末において、
レート要求コマンドを生成するレート要求コマンド生成手段と、
前記レート要求コマンドを、ＤＰＣＣＨ（Dedicated  Physical  Control  CHannel）無線フレーム中のＦＢＩ（Feedback  Information）フィールドに組み込み、所定の送信処理を施して送信する送信手段と、
を備えることを特徴とする端末。
【請求項１３】
さらに、送信すべきデータのバッファ量を監視するバッファ量管理手段、
を備え、
前記レート要求コマンド生成手段は、前記バッファ量と予め規定された所定のしきい値との判定結果に基づいてレート要求コマンドを生成することを特徴とする請求項１２に記載の端末。
【請求項１４】
初期設定として、送信データ量の上限値および送信データ量の基準値を受信し、
前記レート要求コマンド生成手段は、
前記バッファ量と前記しきい値とを比較し、「バッファ量＞しきい値」の場合は前記基準値を超えるデータ量（前記上限値以下）の送信を要求するためのレート要求コマンドを生成し、「バッファ量＝しきい値」の場合は前記基準値と同程度のデータ送信を要求するためのレート要求コマンドを生成し、「バッファ量＜しきい値」の場合は前記基準値未満のデータ量の送信を要求するためのレート要求コマンドを生成することを特徴とする請求項１３に記載の端末。
【請求項１５】
初期設定として、送信データ量の上限値および送信データ量の基準値を受信し、
前記レート要求コマンド生成手段は、
上記しきい値として、第１のしきい値と第２のしきい値（「第１のしきい値＞第２のしきい値」）を設け、「バッファ量＞第１のしきい値」の場合は前記基準値を超えるデータ量（前記上限値以下）の送信を要求するためのレート要求コマンドを生成し、「第１のしきい値＞バッファ量＞第２のしきい値」の場合は前記基準値と同程度のデータ送信を要求するためのレート要求コマンドを生成し、「第２のしきい値＞バッファ量」の場合は前記基準値未満のデータ量の送信を要求するためのレート要求コマンドを生成することを特徴とする請求項１３に記載の端末。
【請求項１６】
前記送信手段は、
前記レート要求コマンドを、前記ＦＢＩフィールドの所定の１ビットに組み込むことを特徴とする請求項１２に記載の端末。
【請求項１７】
前記送信手段は、
前記ＤＰＣＣＨ無線フレームを構成する全てのスロット内の、ＦＢＩフィールドの所定の１ビット（全スロットに相当するビット数）で、前記レート要求コマンドを形成するように符号化処理を行うことを特徴とする請求項１２に記載の端末。
【請求項１８】
前記送信手段は、
前記レート要求コマンドを、前記ＤＰＣＣＨ無線フレームを構成する１つのスロット内の、ＦＢＩフィールドの所定の１ビットに組み込み、
さらに、セルやセクタを指示するための情報を、前記ＤＰＣＣＨ無線フレームを構成する残りのスロット内の、ＦＢＩフィールドの所定の１ビット（残りのスロットに相当するビット数）に組み込むことを特徴とする請求項１２に記載の端末。
【請求項１９】
上りリンクのリソース割り当てを行う基地局とともに無線通信システムを構成する端末において、
レート要求コマンドを生成するレート要求コマンド生成手段と、
前記レート要求コマンドを、ＭＡＣシグナリングにおけるトランスポートブロックに組み込み、所定の送信処理を施して送信する送信手段と、
を備えることを特徴とする端末。
【請求項２０】
さらに、送信すべきデータのバッファ量を監視するバッファ量管理手段、
を備え、
前記レート要求コマンド生成手段は、前記バッファ量と予め規定された所定のしきい値との判定結果に基づいてレート要求コマンドを生成することを特徴とする請求項１９に記載の端末。
【請求項２１】
初期設定として、送信データ量の上限値および送信データ量の基準値を受信し、
前記レート要求コマンド生成手段は、
前記バッファ量と前記しきい値とを比較し、「バッファ量＞しきい値」の場合は前記基準値を超えるデータ量（前記上限値以下）の送信を要求するためのレート要求コマンドを生成し、「バッファ量＝しきい値」の場合は前記基準値と同程度のデータ送信を要求するためのレート要求コマンドを生成し、「バッファ量＜しきい値」の場合は前記基準値未満のデータ量の送信を要求するためのレート要求コマンドを生成することを特徴とする請求項２０に記載の端末。
【請求項２２】
初期設定として、送信データ量の上限値および送信データ量の基準値を受信し、
前記レート要求コマンド生成手段は、
上記しきい値として、第１のしきい値と第２のしきい値（「第１のしきい値＞第２のしきい値」）を設け、「バッファ量＞第１のしきい値」の場合は前記基準値を超えるデータ量（前記上限値以下）の送信を要求するためのレート要求コマンドを生成し、「第１のしきい値＞バッファ量＞第２のしきい値」の場合は前記基準値と同程度のデータ送信を要求するためのレート要求コマンドを生成し、「第２のしきい値＞バッファ量」の場合は前記基準値未満のデータ量の送信を要求するためのレート要求コマンドを生成することを特徴とする請求項２０に記載の端末。
【請求項２３】
前記送信手段は、
前記レート要求コマンドを、前記トランスポートブロックの所定の１ビットに組み込むことを特徴とする請求項１９に記載の端末。
【請求項２４】
前記送信手段は、
前記レート要求コマンドおよびセルやセクタを指示するための情報を、前記トランスポートブロックの所定の複数ビットに組み込むことを特徴とする請求項１９に記載の端末。
【請求項２５】
基地局が、通信システムを構成する各端末から送られてくるレート要求コマンドに基づいて、上りリンクのリソース割り当てを行うレートスケジューリング方法において、
前記各端末が、レート要求コマンドを含むスケジューリング情報と、データチャネル関連情報と、を切り替える制御を行い、それらの情報を、同一制御チャネルのフレーム内における異なるサブフレームを用いて送信するレート要求送信ステップと、
前記基地局が、各端末から送られてくるレート要求コマンドに基づいてリソース割り当てを行い、その結果をレート許可コマンドとして各端末に対して返信するレート許可送信ステップと、
を含み、
前記レート要求送信ステップでは、前記スケジューリング情報の送信と前記データチャネル関連情報の送信が重なった場合、スケジューリング情報を非送信とすることを特徴とするレートスケジューリング方法。
【請求項２６】
基地局が、通信システムを構成する各端末から送られてくるレート要求コマンドに基づいて、上りリンクのリソース割り当てを行うレートスケジューリング方法において、
前記各端末が、レート要求コマンドを含むスケジューリング情報と、データチャネル関連情報と、を切り替える制御を行い、それらの情報を、同一制御チャネルのフレーム内における異なるサブフレームを用いて送信するレート要求送信ステップと、
前記基地局が、各端末から送られてくるレート要求コマンドに基づいてリソース割り当てを行い、その結果をレート許可コマンドとして各端末に対して返信するレート許可送信ステップと、
を含み、
前記レート要求送信ステップでは、前記スケジューリング情報の送信と前記データチャネル関連情報の送信が重なった場合、スケジューリング情報の送信を遅らせることを特徴とするレートスケジューリング方法。
【請求項２７】
基地局が、通信システムを構成する各端末から送られてくるレート要求コマンドに基づいて、上りリンクのリソース割り当てを行うレートスケジューリング方法において、
前記各端末が、レート要求コマンドを含むスケジューリング情報と、データチャネル関連情報と、を切り替える制御を行い、それらの情報を、同一制御チャネルのフレーム内における異なるサブフレームを用いて送信するレート要求送信ステップと、
前記基地局が、各端末から送られてくるレート要求コマンドに基づいてリソース割り当てを行い、その結果をレート許可コマンドとして各端末に対して返信するレート許可送信ステップと、
を含み、
前記レート要求送信ステップでは、前記スケジューリング情報の送信と前記データチャネル関連情報の送信が重なった場合、データチャネル関連情報を非送信とすることを特徴とするレートスケジューリング方法。
【請求項２８】
基地局が、通信システムを構成する各端末から送られてくるレート要求コマンドに基づいて、上りリンクのリソース割り当てを行うレートスケジューリング方法において、
前記各端末が、レート要求コマンドを含むスケジューリング情報と、データチャネル関連情報と、を同一制御チャネルのフレーム内における異なるサブフレームを用いて送信するレート要求送信ステップと、
前記基地局が、各端末から送られてくるレート要求コマンドに基づいてリソース割り当てを行い、その結果をレート許可コマンドとして各端末に対して返信するレート許可送信ステップと、
を含み、
前記レート要求送信ステップでは、前記フレーム内の各サブフレームに配置する情報を規定しておき、規定された順に前記スケジューリング情報と前記データチャネル関連情報を送信することを特徴とするレートスケジューリング方法。
【請求項２９】
基地局が、通信システムを構成する各端末から送られてくるレート要求コマンドに基づいて、上りリンクのリソース割り当てを行うレートスケジューリング方法において、
前記各端末が、レート要求コマンドを含むスケジューリング情報と、データチャネル関連情報と、を同一制御チャネルのフレーム内における同一のサブフレームを用いて送信するレート要求送信ステップと、
前記基地局が、各端末から送られてくるレート要求コマンドに基づいてリソース割り当てを行い、その結果をレート許可コマンドとして各端末に対して返信するレート許可送信ステップと、
を含むことを特徴とするレートスケジューリング方法。
【請求項３０】
上りリンクのリソース割り当てを行う基地局とともに無線通信システムを構成する端末において、
レート要求コマンドを含むスケジューリング情報と、データチャネル関連情報と、を切り替える制御を行い、それらの情報を、同一制御チャネルのフレーム内における異なるサブフレームを用いて送信する送信手段、
を備え、
前記送信手段は、前記スケジューリング情報の送信と前記データチャネル関連情報の送信が重なった場合、スケジューリング情報を非送信とすることを特徴とする端末。
【請求項３１】
上りリンクのリソース割り当てを行う基地局とともに無線通信システムを構成する端末において、
レート要求コマンドを含むスケジューリング情報と、データチャネル関連情報と、を切り替える制御を行い、それらの情報を、同一制御チャネルのフレーム内における異なるサブフレームを用いて送信する送信手段、
を備え、
前記送信手段は、前記スケジューリング情報の送信と前記データチャネル関連情報の送信が重なった場合、スケジューリング情報の送信を遅らせることを特徴とする端末。
【請求項３２】
上りリンクのリソース割り当てを行う基地局とともに無線通信システムを構成する端末において、
レート要求コマンドを含むスケジューリング情報と、データチャネル関連情報と、を切り替える制御を行い、それらの情報を、同一制御チャネルのフレーム内における異なるサブフレームを用いて送信する送信手段、
を備え、
前記送信手段は、前記スケジューリング情報の送信と前記データチャネル関連情報の送信が重なった場合、データチャネル関連情報を非送信とすることを特徴とする端末。
【請求項３３】
上りリンクのリソース割り当てを行う基地局とともに無線通信システムを構成する端末において、
レート要求コマンドを含むスケジューリング情報と、データチャネル関連情報と、を同一制御チャネルのフレーム内における異なるサブフレームを用いて送信する送信手段、
を備え、
前記送信手段は、前記フレーム内の各サブフレームに配置する情報を規定しておき、規定された順に前記スケジューリング情報と前記データチャネル関連情報を送信することを特徴とする端末。
【請求項３４】
上りリンクのリソース割り当てを行う基地局とともに無線通信システムを構成する端末において、
レート要求コマンドを含むスケジューリング情報と、データチャネル関連情報と、を同一制御チャネルのフレーム内における同一のサブフレームを用いて送信する送信手段、
を備えることを特徴とする端末。
【発明の詳細な説明】
【技術分野】
【０００１】
本発明は、３ＧＰＰ（3rd  Generation  Partnership  Project）に準拠した通信方式を採用する通信システムにおけるレートスケジューリング方法に関するものであり、特に、レートスケジューリングのシグナリングとして、レート要求、レート許可を用いる場合のレートスケジューリング方法、および当該方法を実現する端末に関するものである。
【背景技術】
【０００２】
非特許文献１には、第３世代移動通信方式の標準化団体３ＧＰＰにおける上りリンクのレートスケジューリング方法が開示されており、レートスケジューリングのシグナリングとして、レート要求、レート許可が用いられている。【０００３】
また、特許文献１には、ディジタル無線通信システムにおけるリソースのダイナミック割り当て方法が開示されており、たとえば、上りリンクの伝送毎に伝送速度に依存する所定数のＤＰＣＨ（Dedicated  Physical  Channel）が割り当てられること、シグナリング情報がＴＴＩ（Transmission  Time  Interval）の１つのスロットで送信されること、シグナリングリソースにはＴＦＣＩ（Transport  Format  Combination  Indicator）の他にデータ部分があり、そのデータ部分は常に１つの加入者に向けられていること、が記載されている。【０００４】
【特許文献１】特表２００３−５１３５３１号公報
【非特許文献１】３ＧＰＰ  ＴＲ２５．８９６Ｖ６．０．０,  ＰＰ.１９−２１
【発明の開示】
【発明が解決しようとする課題】
【０００５】
しかしながら、従来のレートスケジューリング方法においては、レート要求についての具体的な伝送方法が明記されていない、という問題があった。【０００６】
また、レート要求は全基地局（セル，セクタ）向けに送信されるため、これを受信した全基地局（セル，セクタ）が、レート要求送信元の端末にリソース割り当てを行ってしまい、スループットを低下させる、という問題があった。【０００７】
本発明は、上記に鑑みてなされたものであって、レート要求の具体的な伝送方法を提供し、さらに従来技術と比較してスループットを改善可能なレートスケジューリング方法を提供することを目的とする。
【課題を解決するための手段】
【０００８】
上述した課題を解決し、目的を達成するために、本発明にかかるレートスケジューリング方法にあっては、基地局が、通信システムを構成する各端末から送られてくるレート要求コマンドに基づいて、上りリンクのリソース割り当てを行うレートスケジューリング方法であって、たとえば、前記各端末が、レート要求コマンドを生成し、当該レート要求コマンドを、ＤＰＣＣＨ（Dedicated  Physical  Control  CHannel）無線フレーム中のＦＢＩ（Feedback  Information）フィールドを用いて基地局に対して送信するレート要求送信ステップと、前記基地局が、各端末から送られてくるレート要求コマンドに基づいてリソース割り当てを行い、その結果をレート許可コマンドとして各端末に対して返信するレート許可送信ステップと、を含むことを特徴とする。
【発明の効果】
【０００９】
本発明にかかるレートスケジューリング方法においては、レート要求を、たとえば、既知のチャネルであるＤＰＣＣＨにマッピングする、詳細には、既知のＦＢＩフィールドを拡張してレート要求を伝送することとした（レート要求の具体的な伝送方法の提供）。これにより、従来からの変更という点でのインパクトを少なくしつつ、確実な伝送を実現でき、さらに、バックワードコンパチビリティを確保することができる、という効果を奏する。
【図面の簡単な説明】
【００１０】
【図１】図１は、本発明にかかるレートスケジューリング方法を実現する実施の形態１の端末の構成を示す図である。
【図２】図２は、通信システムを構成する無線ネットワークコントローラ（ＲＮＣ）、基地局（Ｎｏｄｅ  Ｂ）、端末（ＵＥ）間のシグナリングフローを示す図である。
【図３】図３は、ＤＰＣＣＨ無線フレームのフレームフォーマットの一例を示す図である。
【図４】図４は、本発明にかかるレートスケジューリング方法を実現する実施の形態２の端末の構成を示す図である。
【図５】図５は、ＤＰＣＣＨ無線フレームのフレームフォーマットの一例を示す図である。
【図６】図６は、ＤＰＣＣＨ無線フレームのフレームフォーマットの一例を示す図である。
【図７】図７は、本発明にかかるレートスケジューリング方法を実現する実施の形態４の端末の構成を示す図である。
【図８】図８は、ＭＡＣヘッダおよび複数の「ＭＡＣ−ｅ  ＳＤＵ」で形成されるトランスポートブロックサイズの一例を示す図である。
【図９】図９は、ＭＡＣヘッダおよび複数の「ＭＡＣ−ｅ  ＳＤＵ」で形成されるトランスポートブロックサイズの一例を示す図である。
【図１０】図１０は、拡散変調および他のチャネルとの多重化処理を行うための構成を示す図である。
【図１１】図１１は、Ｉブランチのチャネライゼーション符号を示す図である。
【図１２】図１２は、Ｑブランチのチャネライゼーション符号を示す図である。
【図１３】図１３は、実施の形態５におけるＥ−ＤＰＣＣＨのスロット構成を示す図である。
【図１４】図１４は、実施の形態５のスケジューリング処理を示す図である。
【図１５】図１５は、実施の形態５におけるＥ−ＤＣＨ関連情報およびスケジューリング情報の詳細構成を示す図である。
【図１６】図１６は、実施の形態６におけるＥ−ＤＰＣＣＨの伝送方法を示す図である。
【図１７】図１７は、実施の形態７におけるＥ−ＤＰＣＣＨの伝送方法を示す図である。
【図１８】図１８は、実施の形態８におけるＥ−ＤＰＣＣＨのサブフレーム構成を示す図である。
【図１９】図１９は、実施の形態８におけるＥ−ＤＰＣＣＨの具体的な構成を示す図である。
【図２０】図２０は、実施の形態９におけるＥ−ＤＰＣＣＨの構成を示す図である。
【図２１】図２１は、実施の形態９におけるＥ−ＤＣＨ関連情報のＥ−ＤＰＣＣＨサブフレーム構成を示す図である。
【図２２】図２２は、実施の形態９におけるスケジューリング情報のＥ−ＤＰＣＣＨサブフレーム構成を示す図である。
【図２３】図２３は、実施の形態１０におけるＥ−ＤＰＣＣＨの伝送方法を示す図である。
【図２４】図２４は、Ｅ−ＤＣＨ関連情報を５サブフレームにわたって繰り返し伝送しようとした場合のＥ−ＤＰＣＣＨ構成の一例と、スケジューリング情報を５サブフレームにわたって繰り返し伝送しようとした場合のＥ−ＤＰＣＣＨ構成の一例と、を示す図である。
【図２５】図２５は、実施の形態１０におけるＥ−ＤＰＣＣＨの具体的な構成を示す図である。
【図２６】図２６は、実施の形態１１におけるＥ−ＤＰＤＣＨのサブフレーム構成を示す図である。
【図２７】図２７は、実施の形態１１におけるＥ−ＤＰＤＣＨの具体的な構成を示す図である。
【符号の説明】
【００１１】
１  レート要求生成部
２  フレーム組立部
３  送信機
４  受信機
５  フレーム分解部
１１  バッファ量管理部
１２  判定部
２１  チャネルコーディング部
２２  チャネルデコーディング部
３１  ＴｒＢＫ生成部
【発明を実施するための最良の形態】
【００１２】
以下に、本発明にかかるレートスケジューリング方法および端末の実施の形態を図面に基づいて詳細に説明する。なお、この実施の形態によりこの発明が限定されるものではない。【００１３】
実施の形態１．
図１は、本発明にかかるレートスケジューリング方法を実現する実施の形態１の端末の構成を示す図であり、バッファ量管理部１１と判定部１２で構成されたレート要求生成部１と、フレーム組立部２と、送信機３と、受信機４と、フレーム分解部５と、を備えている。【００１４】
ここで、上記端末を含む通信システム全体の動作について説明する。図２は、本実施の形態の通信システムを構成する無線ネットワークコントローラ（ＲＮＣ）、基地局（Ｎｏｄｅ  Ｂ）、端末（ＵＥ）間のシグナリングフロー（制御信号の流れ）を示す図である。【００１５】
まず、ＲＮＣでは、初期設定として、基地局および端末に対して、ＴＦＣＳ上限，ＴＦＣＳ開始位置を通知する（ステップＳ１，ステップＳ２）。ＴＦＣＳ（Transport  Format  Combination  Set）とは、トランスポートフォーマットの組み合わせのセットを表わし、たとえば、前述した非特許文献１の「Ｓｅｃｔｉｏｎ  ６．３．２」に記述されているように、各端末に割り当てられたビットレートである。ＴＦＣＳの組み合わせとしては、たとえば、８，１６，３２，６４，１２８，２５６，３８４ｋｂｉｔ／ｓや、８，１６，３２，６４，１２８，２５６，３８４，７６８，１０００ｋｂｉｔ／ｓ等がある。また、上記ＴＦＣＳ上限とは、ＴＦＣＳの同じ組み合わせ内での最大値を表わしており、基地局，端末は、この上限を超えないように制御する。また、ＴＦＣＳ開始位置とは、上りリンクデータ伝送に用いるＴＦＣＳのデフォルト値を表わしている。たとえば、上記ＴＦＣＳが、この発明における「送信データ量」であり、またＴＦＣＳ開始位置およびＴＦＣＳのデフォルト値が、この発明における「送信データ量の基準値」である。【００１６】
上記初期設定後、端末は、基地局に対してレート要求を送信する（ステップＳ３）。このレート要求は、ＵＰ，ＤＯＷＮ，ＫＥＥＰを示すコマンドであり、ＴＦＣＳ開始位置よりも多くのデータを送信したい場合にはＵＰを、ＴＦＣＳ開始位置と同程度のデータを送信したい場合にはＫＥＥＰを、ＴＦＣＳ開始位置よりも少量のデータを送信したい場合にはＤＯＷＮを、それぞれレート要求として送信する。【００１７】
その後、基地局は、複数の端末からのレート要求を入力としてスケジューリングを行い、そのスケジューリング結果をレート許可として各端末に送信する（ステップＳ４）。このレート許可もまたＵＰ，ＤＯＷＮ，ＫＥＥＰを示すコマンドであり、ＴＦＣＳ開始位置から１ステップ（予め規定された１ステップ分のデータ量）だけ増やしてデータ送信を行うことを許可する場合にはＵＰを、ＴＦＣＳ開始位置から１ステップだけ減らしてデータ送信を行うことを許可する場合にはＤＯＷＮを、ＴＦＣＳ開始位置と同程度のデータ送信を許可する場合にはＫＥＥＰを、それぞれレート許可として送信する。【００１８】
以降、上記ステップＳ３およびＳ４と同様の動作が繰り返し実行され、ＴＦＣＳ開始位置と上記レート許可コマンドの蓄積により、伝送レートが制御されることとなる。【００１９】
そして、端末は、データ伝送を行う場合、送信データとともにＴＦＲＩ（Transport  Format  Resource  Indicator）を伝送する（ステップＳ５）。このＴＦＲＩは、同時に送信されているデータの変調方式，符号数，トランスポートブロックサイズ，拡散率，符号化レートの少なくともいずれか１つを表わすインジケータである。基地局は、このＴＦＲＩに従って端末の受信データを復調し、その受信データのＣＲＣ（Cyclic  Redundancy  Check）を判定し（受信データから生成したＣＲＣと受信データに含まれるＣＲＣとを比較し）、誤りが無ければＡＣＫを、誤りがあればＮＡＫを、ＡＣＫ／ＮＡＫとして端末に対して送信する（ステップＳ６）。【００２０】
このようにして、本実施の形態の通信システムにおいては、基地局が、ＴＦＣＳ上限を満たす範囲で、端末に対するＴＦＣＳを制御することができる。【００２１】
つづいて、上記図２のシグナリングフローを実行する場合の端末の動作を、図１の構成を用いて詳細に説明する。【００２２】
バッファ量管理部１１では、上りリンクとして送信すべきデータのバッファ量を監視する。このバッファ量は、周期的に（所定時間経過毎に）または予め規定された所定データ量となった場合に、バッファ量情報として判定部１２に対して供給する。なお、ＡＣＫ／ＮＡＫ信号がＡＣＫであった場合には、対応するデータを保存するバッファを解放し、バッファ量を更新する。【００２３】
判定部１２では、バッファ量管理部１１からのバッファ量情報と予め規定されたしきい値とを比較し、たとえば、「バッファ量＞しきい値」の場合はＵＰを、「バッファ量＜しきい値」の場合はＤＯＷＮを、「バッファ量＝しきい値」の場合はＫＥＥＰを、出力する。なお、ＵＰ，ＤＯＷＮ，ＫＥＥＰの判定方法については、これに限らず、たとえば、上記しきい値を第１のしきい値とし、さらに第２のしきい値（「第１のしきい値＞第２のしきい値」とする）を設け、「バッファ量＞第１のしきい値」の場合はＵＰを、「第１のしきい値＞バッファ量＞第２のしきい値」の場合はＫＥＥＰを、「第２のしきい値＞バッファ量」の場合はＤＯＷＮを、出力することとしてもよい。判定部１２では、ＵＰの場合は＋１を、ＫＥＥＰの場合は０を、ＤＯＷＮの場合は−１を、フレーム組立部２に供給する。【００２４】
フレーム組立部２では、上記ＵＰ，ＤＯＷＮ，ＫＥＥＰに基づいて生成したレート要求コマンドをＤＰＣＣＨ（Dedicated  Physical  Control  CHannel）無線フレームに組み込む。図３は、ＤＰＣＣＨ（Dedicated  Physical  Control  CHannel）無線フレームのフレームフォーマットの一例を示す図である。ＤＰＣＣＨ無線フレームの周期は、たとえば、図３に示すとおり１０ｍｓとなり、１フレームは１５のスロット（＃０〜＃１４）で構成されている。また、１スロットは、ＰＩＬＯＴ，ＴＦＣＩ，ＦＢＩ（Feedback  Information），ＴＰＣ（Transmit  Power  control）の各フィールドで構成され、合計１０ビットからなる。また、ＦＢＩは、３ビット構成であり、ＳＳＤＴ（Site  Selection  Diversity  Transmission）用のＳフィールド，Ｄｉｖｅｒｓｉｔｙ用のＤフィールド，Ｅ−ＤＣＨ用のＥフィールドからなる。ここで、ＤＰＣＣＨは、一つの端末に割り当てられたその端末専用の個別物理制御チャネルである。また、Ｅ−ＤＣＨは、個別物理トラフィックチャネルである。【００２５】
具体的には、フレーム組立部２では、レート要求コマンドを、たとえば、上記Ｅフィールド（１ビット）を用いて伝送する。【００２６】
送信機３では、拡散変調，ＤＰＤＣＨ（Dedicated  Physical  Data  CHannel）等、他のチャネルとの多重化、フィルタリング、無線周波数への変換処理を実行し、これらの処理により生成した無線周波数帯信号を基地局へ送信する。なお、ここでは、図２におけるレート要求に着目したが、ＴＦＲＩや同時に送信されるデータについても、上記他のチャネルとして伝送されている。【００２７】
一方、受信機４では、基地局から送られてくる無線周波数帯信号に対して、ベースバンド信号への変換、フィルタリング、ＤＰＣＣＨ信号の多重分離、逆拡散処理を実行し、その結果をフレーム分解部５へ供給する。フレーム分解部５では、ＤＰＣＣＨからＡＣＫ／ＮＡＫ信号を抽出し、その抽出結果をバッファ量管理部１１へ供給する。なお、ここでは、図２におけるＡＣＫ／ＮＡＫに着目したが、レート許可やトラヒックデータチャネルが、上記ＤＰＣＣＨ信号に多重化された他のチャネルとして伝送されている。【００２８】
このように、本実施の形態においては、レート要求を既知のチャネルであるＤＰＣＣＨにマッピングする、詳細には、既知のＦＢＩフィールドを拡張してレート要求を伝送することとした（レート要求の具体的な伝送方法の提供）。これにより、従来からの変更という点でのインパクトを少なくしつつ、確実な伝送を実現でき、さらに、バックワードコンパチビリティを確保することができる。【００２９】
なお、図３では、ＦＢＩ（３ビット）を用いて、Ｓフィールド，Ｄフィールド，Ｅフィールドの順に伝送するように説明したが、これに限らず、この伝送順については任意である。また、ＳＳＤＴ，Ｄｉｖｅｒｓｉｔｙを上位メッセージで非アクティブにすることにより、３ビット全てをＥフィールドとして用いてもよい。また、ＦＢＩの３ビットを２ビットまたは１ビットとしてもよい。【００３０】
実施の形態２．
図４は、本発明にかかるレートスケジューリング方法を実現する実施の形態２の端末の構成を示す図であり、前述した実施の形態１の図１の構成に加えて、さらに、チャネルコーディング部２１とチャネルデコーディング部２２とを備えている。なお、システムの全体動作については、前述した図２と同様である。本実施の形態では、前述した実施の形態１と異なる動作について説明する。【００３１】
図５は、ＤＰＣＣＨ無線フレームのフレームフォーマットの一例を示す図である。図３では、レート要求コマンドを１ビットデータとしていたが、本実施の形態では、１５ビットデータとしている。１５ビットを伝送するため、１フレーム分で一つのコマンドとする。具体的には、図４に示すチャネルコーディング部２１が、１ビット（＋１、０、−１）を１５ビットに拡張する方法として、たとえば、二次Ｇｏｌａｙ符号を用いる。【００３２】
また、ＡＣＫ／ＮＡＣＫについては、基地局側が１ビットを１５ビットに拡張して伝送することとし、一方で、チャネルデコーディング２２が、受信データを元の１ビット情報に復号する。【００３３】
このように、本実施の形態においては、送信側がレート要求コマンドやＡＣＫ／ＮＡＫコマンドに対してチャネルコーディング処理を実行し、受信側にてチャネルコーディングゲインを得ることによって、上記各コマンドの高品質伝送を実現することができる。【００３４】
実施の形態３．
つづいて、実施の形態３の端末の処理について説明する。なお、端末の構成については、前述した実施の形態２と同様である。ここでは、実施の形態２と異なる処理についてのみ説明する。【００３５】
図６は、ＤＰＣＣＨ無線フレームのフレームフォーマットの一例を示す図である。前述した実施の形態２においては、レート要求コマンドを１ビットから１５ビットに拡張していたが、本実施の形態においては、チャネルコーディング部２１が、図６に示すように、レート要求コマンドを１ビット（Ｅフィールド１５ビット中の任意の１ビット）とし、残りの１４ビットを「Ａｃｔｉｖｅ  Ｓｅｔ  ＩＤ」として伝送する。「Ａｃｔｉｖｅ  Ｓｅｔ  ＩＤ」は、システム中の基地局（またはセル、セクタ）のうちの通信可能なセットを表わす識別子である。【００３６】
そして、基地局は、上記「Ａｃｔｉｖｅ  Ｓｅｔ  ＩＤ」に基づいて、受信したレート要求が自分宛かどうかを認識し、自分宛でないレート要求を破棄することとした。これにより、無駄なレート許可の割り当てを回避することができる。また、「Ａｃｔｉｖｅ  Ｓｅｔ  ＩＤ」をレート要求とともに伝送することにより、基地局による無駄な無線リソース割り当てを回避できるため、よりスループット（システム容量）を増大させることができる。【００３７】
なお、図６では、「Ａｃｔｉｖｅ  Ｓｅｔ  ＩＤ」を１４ビットとし、レート要求を１ビットとしたが、これに限らず、合計ビット数１５を維持した状態で、ビット配分を変更することとしてもよい。【００３８】
実施の形態４．
図７は、本発明にかかるレートスケジューリング方法を実現する実施の形態４の端末の構成を示す図であり、ＴｒＢＫ生成部３１を備えている。なお、システムの全体動作については、前述した図２と同様である。本実施の形態では、前述した実施の形態１〜３と異なる動作についてのみ説明する。【００３９】
つづいて、上記図２のシグナリングフローを実行する場合の端末の動作を、図７の構成を用いて詳細に説明する。【００４０】
ＴｒＢＫ生成部３１では、レート要求コマンドを、トランスポートブロックに組み込む。図８は、ＭＡＣヘッダおよび複数の「ＭＡＣ−ｅ  ＳＤＵ」で形成されるトランスポートブロックサイズの一例を示す図である。トランスポートブロックは、ＭＡＣヘッダ，「ＭＡＣ−ｅ  ＳＤＵ」で形成されている。複数の「ＭＡＣ−ｅ  ＳＤＵ」をまとめてペイロードという。また、「ＭＡＣ−ｅ  ＳＤＵ」には、複数の「ＭＡＣ−ｅ  ＰＤＵ」がマッピングされ、それぞれＳＩＤ（図８のＳＩＤ1〜ＳＩＤkに相当），Ｎ（Ｎ1〜Ｎkに相当），Ｆ（Ｆ1〜Ｆkに相当）によりセグメントされる。そして、本実施の形態においては、レート要求（レート要求1〜レート要求kに相当）を、たとえば、Ｆの直前に１ビット情報としてマッピングし、このように生成した信号をチャネルコーディング部２１に供給する。【００４１】
チャネルコーディング部２１では、上記のように得られた信号に対して、たとえば、ＣＲＣ付加，ターボ符号化，レートマッチング，インターリーブ等を実行する。【００４２】
このように、本実施の形態においては、レート要求を、ＭＡＣシグナリングを用いて伝送する。これにより、物理レイヤでの伝送に比べて高信頼度伝送を実現することができる。【００４３】
なお、本実施の形態においては、レート要求コマンドを１ビットとしたが、これに限らず、たとえば、前述した実施の形態３と同様に、「Ａｃｔｉｖｅ  Ｓｅｔ  ＩＤ」を含めて伝送することとしてもよい（図９参照）。【００４４】
実施の形態５．
前述した実施の形態４までの説明では、レート要求、すなわち、レート要求を含むスケジューリング情報単独の伝送方法について開示したが、実施の形態５においては、他の情報との関係について開示する。【００４５】
図１０は、前述した送信機３において、拡散変調および他のチャネルとの多重化処理を行うための構成例を示す図である。図１０において、ＤＰＤＣＨ（１），Ｅ−ＤＰＤＣＨ（２）〜（６），ＨＳ−ＤＰＣＣＨ，ＤＰＣＣＨ，Ｅ−ＤＰＣＣＨは物理チャネルであり、Ｃd1，Ｃed2〜Ｃed6，Ｃhs，Ｃc，Ｃecはチャネライゼーション符号であり、βd1，βed2〜βed6，βhs，βc，βecは電力オフセットであり、Ｓdpch,nはスクランブル符号である。なお、ＤＰＤＣＨは個別物理データチャネルであり、ＤＰＣＣＨは個別物理制御チャネルであり、ＨＳ−ＤＰＣＣＨはＨＳＤＰＡ用上り物理制御チャネルであり、「３ＧＰＰ  ＴＳ２５．２１１  Ｖ６．０．０．  Ｓｅｃｔｉｏｎ４．２．１」に記述されている。また、Ｅ−ＤＰＤＣＨはＥ−ＤＣＨ用トラヒックチャネルであり、Ｅ−ＤＰＣＣＨはＥ−ＤＣＨ用制御チャネルである。すなわち、本実施の形態では、ＤＰＤＣＨ（１）は１チャネライゼーション符号に限定されている。また、図１１は、Ｉブランチのチャネライゼーション符号を示す図であり、図１２は、Ｑブランチのチャネライゼーション符号を示す図である。【００４６】
たとえば、送信機３では、乗算器５１−ｄ１にて上記ＤＰＤＣＨ（１）にチャネライゼーション符号Ｃd1を乗算し、さらに、その乗算結果に対して乗算器５２−ｄ１にてβd1を乗算し、この乗算結果を加算器５３に供給する。ここで、Ｃd1は、図１１に示すように、ＳＦ＝４，Ｎｏ．１の符号に設定される。すなわち、｛＋１，＋１，−１，−１｝で１シンボルを構成する符号である。ただし、ここでは、ＤＰＤＣＨ（１）のＳＦが４に等しい場合について記述したが、この値は可変であり、一般には、Ｃd1はＣSF,SF/4に設定する。また、βd1は電力オフセットとして、｛０，１／１５，…，１５／１５｝という値をとる。【００４７】
また、送信機３では、Ｅ−ＤＰＤＣＨ（３），Ｅ−ＤＰＤＣＨ（５），ＨＳ−ＤＰＣＣＨに対しても同様に、チャネライゼーション符号化（乗算器５１−ｅｄ３，５１−ｅｄ５，５１−ｈｓによる処理）および電力設定（乗算器５２−ｅｄ３，５２−ｅｄ５，５２−ｈｓによる処理）を行う。これらのチャネライゼーション符号は、図１１に示すように、互いに直交するように設定する。これにより、受信機において分離可能となる。たとえば、Ｅ−ＤＰＤＣＨ（３）は｛＋１，−１，＋１，−１｝，Ｅ−ＤＰＤＣＨ（５）は｛＋１，−１，−１，＋１｝，ＨＳ−ＤＰＣＣＨは｛＋１，＋１，…，＋１，−１，−１，…，−１｝（＋１が１２８ｃｈｉｐ，−１が１２８ｃｈｉｐの順）となる。また、電力オフセットは、ＤＰＤＣＨよりも大きな値まで設定でき、ここでは、｛０，１／１５，…，６０／１５｝とする。【００４８】
そして、送信機３では、上記各乗算器による乗算結果を加算器５３にて加算し、Ｉブランチ信号を形成する。【００４９】
一方、ＤＰＣＣＨ，Ｅ−ＤＰＣＣＨ，Ｅ−ＤＰＤＣＨ（２），Ｅ−ＤＰＤＣＨ（４），Ｅ−ＤＰＤＣＨ（６）についても同様に計算（乗算器５１−ｃ，５１−ｅｃ，５１−ｅｄ２，５１−ｅｄ４，５１−ｅｄ６，５２−ｃ，５２−ｅｃ，５２−ｅｄ２，５２−ｅｄ４，５２−ｅｄ６，加算器５４の処理）して、Ｑブランチ信号を形成する。Ｑブランチ信号は、さらに、乗算器５４ａにてｊと乗算し、虚数信号ｊＱとして加算器５５に供給される。【００５０】
その後、送信機３では、上記Ｉブランチ信号と上記ｊＱとを加算器５５にて加算し、その結果を複素信号Ｉ＋ｊＱとして乗算器５６に供給し、さらに、乗算器５６は、加算結果として得られたＩ＋ｊＱとスクランブル符号Ｓdpch,nとを複素乗算する。Ｓdpch,nは、基地局にてユーザを識別するために用いられる符号であり、１０ｍｓの長さ（３８４００ｃｈｉｐ）で構成される。なお、以降の説明でフレームという場合には、この１０ｍｓがそのまま用いられ、サブフレームという場合には、この１０ｍｓが２ｍｓに分割され、スクランブル符号の掛け方は同じである。【００５１】
最後に、送信機３では、乗算器５６の出力に対して、所定のフィルタリング処理，無線周波数への変換処理、等を行い、その結果を無線周波数帯信号として基地局へ送信する。【００５２】
つづいて、本実施の形態のレートスケジューリング処理を具体的に説明する。なお、前述した実施の形態１においては、レート要求に関する情報を上記ＤＰＣＣＨ（のＦＢＩフィールド）にマッピングすることとしたが、本実施の形態においては、Ｅ−ＤＰＣＣＨを用いる。【００５３】
まず、図１０，図１１，図１２に示すように、Ｅ−ＤＰＣＣＨは、Ｑブランチの信号であり、ＳＦ＝２５６,２ｍｓ長で３０ビットのフィールドを有する（２ｍｓ×３．８４Ｍｃｐｓ／２５６＝３０ｂｉｔ）。【００５４】
図１３は、実施の形態５におけるＥ−ＤＰＣＣＨのスロット構成を示す図であり、インジケータ（ＩＮＤ）とＥ−ＤＣＨ関連情報、または、インジケータ（ＩＮＤ）とスケジューリング情報、で構成される。これらの２つの情報は、図１４（図１４は、本実施の形態のスケジューリング処理を示す）に示すように、どちらか一方だけがＥ−ＤＰＣＣＨとして伝送される。インジケータは、どちらの情報が伝送されているのかを受信側で識別するための情報であり、たとえば、「インジケータ＝０」であれば、Ｅ−ＤＣＨ関連情報が伝送されていることを表し、「インジケータ＝１」であれば、スケジューリング情報が伝送されていることを表している。【００５５】
また、図１５は、上記Ｅ−ＤＣＨ関連情報および上記スケジューリング情報の詳細構成を示す図である。具体的には、Ｅ−ＤＣＨ関連情報は、Ｅ−ＴＦＲＩ，ＮＤＩ，ＲＶに対応し、スケジューリング情報は、バッファ情報，電力情報，ＱｏＳに対応する。Ｅ−ＴＦＲＩは、Ｅ−ＤＣＨのトランスポートフォーマットリソースのインジケータであり、送信データサイズ，符号数，符号化レートに対応したものであり、０から３１の値をとる（５ビット）。そして、０から３１の順に送信データ量が多くなることを意味している。ＮＤＩは、新データのインジケータであり、これにより、ＨＡＲＱの初送／再送／再再送を区別する（３ビット）。ＲＶは、再送時のリダンダンシーバージョンを示す（２ビット）。ＣＲＣは、Ｅ−ＴＦＲＩ，ＮＤＩ，ＲＶの情報に対して所定のＣＲＣ演算を行った結果（８ビット）であり、これにより、受信側でＣＲＣ判定を行い、誤り検出が可能となる。バッファ情報、電力情報は、前述した実施の形態１でも述べているレート要求に対応する（それぞれ４ビット、５ビット）。ＱｏＳは、「Quality  of  Service」の要求を表す（４ビット）。そして、これらのビットをＳＦ＝２５６，２ｍｓの物理チャネル（３０ビット）に入れるため、それぞれｒｅｐｅｔｉｔｉｏｎ（空きビットがない場合はｒｅｐｅｔｉｔｉｏｎを行わない）を行う。すなわち、図１５に示すように、ＩＮＤ（２ビット），Ｅ−ＴＦＲＩ（１０ビット），ＮＤＩ（６ビット），ＲＶ（４ビット），ＣＲＣ（８ビット）で、２ｍｓのサブフレーム（３０ビット）を形成し、一方で、ＩＮＤ（２ビット），バッファ情報（１０ビット），電力情報（１０ビット），ＱｏＳ（８ビット）で、２ｍｓサブフレーム（３０ビット）を形成する。【００５６】
また、図１４に示すとおり、スケジューリング情報は、周期的に伝送され（ここでは、６サブフレーム周期）、たとえば、スケジューリング情報１０１，１０２，１０３のように、６サブフレーム毎に繰り返し送信される。一方で、Ｅ−ＤＣＨ関連情報は、基地局にＥ−ＤＣＨを送信するときに同時に送信されるため、図１４に示すとおり、周期的には伝送されない。そこで、本実施の形態においては、たとえば、スケジューリング情報を送信しようとするときに、Ｅ−ＤＣＨ関連情報が存在しない場合には、Ｅ−ＤＰＣＣＨとしてスケジューリング情報を送信する（スケジューリング情報１０１に相当）。また、スケジューリング情報を送信しようとするときに、Ｅ−ＤＣＨ関連情報が存在する場合には、Ｅ−ＤＣＨ関連情報をＥ−ＤＰＣＣＨとして送信する（Ｅ−ＤＣＨ関連情報１０４，１０５に相当）。【００５７】
このように、本実施の形態においては、Ｅ−ＤＰＣＣＨにレート要求を含めることとし、たとえば、Ｅ−ＤＰＣＣＨを構成するＥ−ＤＣＨ関連情報とスケジューリング情報（レート要求を含む）とをインジケータにより切り替えることにより、レート要求の具体的な伝送方法（レートスケジューリング処理）を提供することとした。これにより、チャネライゼーション符号の増大を防ぐことができる。さらに、同一物理チャネルを用いてＥ−ＤＣＨ関連情報とスケジューリング情報を伝送することとしたので、新たな物理チャネルを用いて上記情報を伝送するための回路を追加する必要がなくなる。これにより、送信側（端末），受信側（基地局）のＨ／Ｗ量の増大を回避することができる。なお、上記で用いたビット数やスロット構成、およびレートスケジューリング処理は、単なる一例である。【００５８】
実施の形態６．
実施の形態６では、Ｅ−ＤＣＨ関連情報とスケジューリング情報の送信が重なる場合において、レート要求の送信を遅らせることとした。【００５９】
図１６は、実施の形態６におけるＥ−ＤＰＣＣＨの伝送方法を示す図である。なお、送信機の構成および処理については、前述した図１０，図１１，図１２と同様であり、また、Ｅ−ＤＰＣＣＨのサブフレーム構成は、前述した図１３，図１５と同様である。【００６０】
本実施の形態では、図１４と同様に、スケジューリング情報が周期的に伝送され（たとえば、６サブフレーム周期毎に伝送される）、たとえば、スケジューリング情報１０１，１０２，１０３のように６サブフレーム毎に繰り返し送信される。一方で、Ｅ−ＤＣＨ関連情報は、基地局にＥ−ＤＣＨを送信するときに同時に送信されるため、図１６に示すとおり、周期的には伝送されない。そこで、本実施の形態においては、たとえば、スケジューリング情報を送信しようとするときに、Ｅ−ＤＣＨ関連情報が存在しない場合には、Ｅ−ＤＰＣＣＨとしてスケジューリング情報を送信する（スケジューリング情報１０１に相当）。また、スケジューリング情報を送信しようとするときに、Ｅ−ＤＣＨ関連情報が存在する場合には、Ｅ−ＤＣＨ関連情報をＥ−ＤＰＣＣＨとして送信する（Ｅ−ＤＣＨ関連情報１０４，１０５，１０６に相当）。そして、送信が重なったＥ−ＤＣＨ関連情報を優先的に送信後、次のサブフレームでＥ−ＤＣＨ関連情報が存在しない場合に、送信が重なって待機中のスケジューリング情報を送信する（スケジューリング情報１０２，１０３に相当）。【００６１】
このように、本実施の形態においては、Ｅ−ＤＰＣＣＨにレート要求を含めることとし、たとえば、Ｅ−ＤＰＣＣＨを構成するＥ−ＤＣＨ関連情報とスケジューリング情報（レート要求を含む）とをインジケータにより切り替えることにより、レート要求の具体的な伝送方法（レートスケジューリング処理）を提供することとした。このとき、Ｅ−ＤＣＨ関連情報とスケジューリング情報の送信が重なる場合は、スケジューリング情報、すなわち、レート要求の送信を遅らせることとした。これにより、前述した実施の形態と同様の効果が得られるとともに、さらに、高精度なレートスケジューリングが実現可能となる。【００６２】
実施の形態７．
実施の形態７では、Ｅ−ＤＣＨ関連情報とスケジューリング情報の送信が重なる場合において、Ｅ−ＤＣＨを非送信とする。【００６３】
図１７は、実施の形態７におけるＥ−ＤＰＣＣＨの伝送方法を示す図である。なお、送信機の構成および処理については、前述した図１０，図１１，図１２と同様であり、また、Ｅ−ＤＰＣＣＨのサブフレーム構成は、前述した図１３，図１５と同様である。【００６４】
本実施の形態では、図１４と同様に、スケジューリング情報が周期的に伝送され（たとえば、６サブフレーム周期毎に伝送される）、たとえば、スケジューリング情報１０１，１０２，１０３のように６サブフレーム毎に繰り返し送信される。一方で、Ｅ−ＤＣＨ関連情報は、基地局にＥ−ＤＣＨを送信するときに同時に送信されるため、図１６に示すとおり、周期的には伝送されない。そこで、本実施の形態においては、たとえば、スケジューリング情報を送信しようとするときには、Ｅ−ＤＣＨ関連情報が存在する／しないにかかわらず、Ｅ−ＤＰＣＣＨとしてスケジューリング情報を送信する（スケジューリング情報１０１，１０２，１０３に相当）。すなわち、スケジューリング情報の送信が優先され、送信が重なるときにはＥ−ＤＣＨ関連情報は送信しない。したがって、Ｅ−ＤＰＤＣＨ（図１０におけるＥ−ＤＰＤＣＨ（２）〜（６））も送信しない。【００６５】
このように、本実施の形態においては、Ｅ−ＤＣＨ関連情報とスケジューリング情報の送信が重なる場合に、スケジューリング情報を優先して送信することとしたため、特定周期によるスケジューリング情報の更新が保証され、さらに正確なレートスケジューリングが実現可能となる。【００６６】
実施の形態８．
実施の形態８では、図１３に示すインジケータの代わりに、Ｅ−ＴＦＲＩを用いる。【００６７】
図１８は、実施の形態８におけるＥ−ＤＰＣＣＨのサブフレーム構成を示す図である。なお、送信機の構成および処理については、前述した図１０，図１１，図１２と同様である。図１３との違いは、インジケータの代わりにＥ−ＴＦＲＩ（５ビット）を用いている点である。たとえば、「Ｅ−ＴＦＲＩ＝１〜３１」であれば、Ｅ−ＤＣＨ関連情報が伝送されていることを表し、「Ｅ−ＴＦＲＩ＝０」であれば、スケジューリング情報が伝送されていることを表す。「Ｅ−ＴＦＲＩ＝１〜３１」の場合は、その領域を元の機能であるＥ−ＴＦＲＩを送信するために用いる。すなわち、この場合は、１から３１の順に送信データ量が多くなることを意味する。【００６８】
図１９は、上記Ｅ−ＤＰＣＣＨのより具体的な構成を示す図である。図１８に示すＥ−ＤＣＨ関連情報は、ＮＤＩ，ＲＶに対応し、スケジューリング情報は、バッファ情報，電力情報，ＱｏＳに対応する。【００６９】
ＮＤＩは、新データのインジケータであり、これにより、ＨＡＲＱの初送／再送／再再送を区別するためのものである（３ビット）。ＲＶは、再送時のリダンダンシーバージョンを示す（２ビット）。ＣＲＣは、Ｅ−ＴＦＲＩ，ＮＤＩ，ＲＶの情報に対して所定のＣＲＣ演算を行った結果（８ビット）であり、これにより、受信側で誤り検出が可能となる。バッファ情報、電力情報は、前述した実施の形態１でも述べているレート要求に対応する（それぞれ４ビット、５ビット）。ＱｏＳは、ＱｏＳ要求を表す（４ビット）。そして、これらのビットをＳＦ＝２５６，２ｍｓの物理チャネル（３０ビット）に入れるため、それぞれｒｅｐｅｔｉｔｉｏｎ（空きビットがない場合はｒｅｐｅｔｉｔｉｏｎを行わない）を行う。【００７０】
すなわち、図１９に示すように、Ｅ−ＴＦＲＩ（１０ビット），ＮＤＩ（６ビット），ＲＶ（６ビット），ＣＲＣ（８ビット）で、２ｍｓのサブフレーム（３０ビット）を形成し、一方で、Ｅ−ＴＦＲＩ（１０ビット），バッファ情報（８ビット），電力情報（８ビット），ＱｏＳ（４ビット）で、２ｍｓサブフレーム（３０ビット）を形成する。なお、Ｅ−ＤＰＣＣＨの伝送方法については、図１４，図１６，図１７のいずれの方法であってもよい。【００７１】
このように、本実施の形態においては、Ｅ−ＤＰＣＣＨにレート要求を含めることとし、たとえば、Ｅ−ＤＰＣＣＨを構成するＥ−ＤＣＨ関連情報とスケジューリング情報（レート要求を含む）とをＥ−ＴＦＲＩにより切り替えることにより、レート要求の具体的な伝送方法（レートスケジューリング処理）を提供することとした。これにより、実施の形態５，６，７と同様の効果を得ることができる。【００７２】
実施の形態９．
図２０は、実施の形態９におけるＥ−ＤＰＣＣＨの構成を示す図である。図において、Ｅ−ＤＰＣＣＨは、２ｍｓのサブフレームから構成され、スケジュール情報およびＥ−ＤＣＨ関連情報を表している。ここでは、スケジュール情報とＥ−ＤＣＨ関連情報とを排他的に使用する。【００７３】
そして、本実施の形態では、Ｅ−ＤＣＨ，ＮＤＩ，ＲＶ，ＣＲＣや、バッファ情報，電力情報，ＱｏＳを、前述のように別々に符号化(レペティション)するのではなく、グループ化して符号化する。【００７４】
図２１は、実施の形態９におけるＥ−ＤＣＨ関連情報のＥ−ＤＰＣＣＨサブフレーム構成を示す図である。送信する情報は、実施の形態８にて示したものと同一であり、Ｅ−ＴＦＲＩは５ビット、ＮＤＩは３ビット、ＲＶは２ビット、ＣＲＣは８ビットである。ＴＦＲＩは、符号化器で５ビットから１０ビットに符号化される。ここでは、一例として、Ｒ＝１／２の畳み込み符号化が行われる。そして、Ｐａｒｔ１信号（１０ビット）として、Ｅ−ＤＰＣＣＨフォーマットの先頭に配置される。また、ＮＤＩ，ＲＶ，ＣＲＣは、符号化器で１３ビットから２６ビットに、Ｒ＝１／２の畳み込み符号化が行われ、さらに、６ビットのパンクチャリングが行われ、Ｐａｒｔ２信号（２０ビット）として、Ｅ−ＤＰＣＣＨフォーマットのＰａｒｔ１信号に続いて配置される。【００７５】
図２２は、実施の形態９におけるスケジューリング情報のＥ−ＤＰＣＣＨサブフレーム構成を示す図である。送信する情報は、実施の形態８に示したものと同一であり、ＴＦＲＩは５ビット、電力情報は５ビット、バッファ情報は４ビット、ＱｏＳは４ビットである。ＴＦＲＩは、符号化器で５ビットから１０ビットに符号化される。ここでは、一例として、Ｒ＝１／２の畳み込み符号化が行われる。そして、Ｐａｒｔ１信号（１０ビット）として、Ｅ−ＤＰＣＣＨフォーマットの先頭に配置される。また、ＮＤＩ，ＲＶ，ＣＲＣは、符号化器で１３ビットから２６ビットに、Ｒ＝１／２の畳み込み符号化が行われ、さらに、６ビットのパンクチャリングが行われ、Ｐａｒｔ２信号（２０ビット）として、Ｅ−ＤＰＣＣＨフォーマットのＰａｒｔ１信号に続いて配置される。なお、Ｅ−ＤＰＣＣＨの伝送方法については、図１４，図１６，図１７のいずれの方法であってもよい。【００７６】
このように、本実施の形態においては、ＮＤＩ，ＲＶ，ＣＲＣを異なるレペティション（符号化率）で伝送する場合に比べて、ＮＤＩ，ＲＶ，ＣＲＣの符号化率を一致させることができるため、各ビット誤り率の均等化を行うことができ、Ｅ−ＤＣＨ関連情報全体の誤り率を向上させることができる。【００７７】
また、本実施の形態においては、電力情報，バッファ情報，Ｑｏｓを異なるレペティション（符号化率）で伝送する場合に比べて、電力情報，バッファ情報，ＱｏＳの符号化率を一致させることができるため、各ビット誤り率の均等化を行うことができ、スケジューリング情報全体の誤り率を向上させることができる。【００７８】
実施の形態１０．
実施の形態１０では、Ｅ−ＤＣＨ関連情報とスケジューリング情報とを切り替えるための機能（図１３に示すインジケータまたは図１８に示すＥ−ＴＦＲＩの機能）によらず、予め配置順を規定した複数のサブフレームをまとめて伝送することによって、上記各情報を切り替える。なお、送信機の構成および処理については、前述した図１０，図１１，図１２と同様である。【００７９】
図２３は、実施の形態１０におけるＥ−ＤＰＣＣＨの伝送方法を示す図であり、たとえば、２ｍｓであるサブフレームを５つまとめた１０ｍｓのフレーム構成で伝送している。ここでは、Ｅ−ＤＣＨ関連情報を４サブフレームにわたって繰り返し配置し、引き続いてスケジューリング情報１サブフレームを配置している。【００８０】
図２４は、Ｅ−ＤＣＨ関連情報を５サブフレームにわたって繰り返し伝送しようとした場合のＥ−ＤＰＣＣＨ構成の一例と、スケジューリング情報を５サブフレームにわたって繰り返し伝送しようとした場合のＥ−ＤＰＣＣＨ構成の一例と、を示す図である。このような場合であっても、図２３に示すようなサブフレーム順で、すなわち、図２５に具体的に示すようなサブフレーム順で、Ｅ−ＤＰＣＣＨ伝送が行われる。【００８１】
このように、本実施の形態においては、図１３に示すインジケータまたは図１８に示すＥ−ＴＦＲＩによる切り替え機能を利用することなく、Ｅ−ＤＣＨ関連情報とスケジューリング情報とを切り替えることができる。【００８２】
実施の形態１１．
実施の形態１１では、Ｅ−ＤＣＨ関連情報とスケジューリング情報とを同一のサブフレームで伝送する。なお、送信機の構成および処理については、前述した図１０，図１１，図１２と同様である。【００８３】
図２６は、実施の形態１１におけるＥ−ＤＰＤＣＨのサブフレーム構成を示す図である。ここでは、２ｍｓであるサブフレームに、Ｅ−ＤＣＨ関連情報およびスケジューリング情報の両者を配置して伝送する。たとえば、先にＥ−ＤＣＨ関連情報を配置し、その後ろにスケジューリング情報を配置する。受信側（基地局）においては、Ｅ−ＤＣＨを受信するために必要な情報を先に取り出すことができるため、Ｅ−ＤＣＨ復調やチャネルデコーディングのための処理時間にマージンが生じる。【００８４】
図２７は、上記Ｅ−ＤＰＤＣＨの具体的な構成を示す図である。ここでは、Ｅ−ＴＦＲＩ（５ビット），ＮＤＩ（２ビット），ＲＶ（３ビット），バッファ情報ＢＩ（４ビット），電力情報ＰＩ（４ビット），ＱｏＳ（４ビット），ＣＲＣ（８ビット）で、２ｍｓサブフレーム（３０ビット）を形成する。なお、本実施の形態においては、たとえば、Ｅ−ＤＣＨを送信しない場合は、Ｅ−ＤＣＨ関連情報を非送信とし、一方で、スケジューリング情報の送信期間にあたらない場合は、スケジューリング情報を非送信とする。これにより、上りリンクのシステム干渉を低減できる。
【産業上の利用可能性】
【００８５】
以上のように、本発明にかかるレートスケジューリング方法は、３ＧＰＰに準拠した通信方式を採用する通信システムに有用であり、特に、レートスケジューリングのシグナリングとして、レート要求、レート許可を用いる通信システムおよび当該通信システムを構成する端末に適している。
【図１】
2006016426.tif 000002
【図２】
2006016426.tif 000003
【図３】
2006016426.tif 000004
【図４】
2006016426.tif 000005
【図５】
2006016426.tif 000006
【図６】
2006016426.tif 000007
【図７】
2006016426.tif 000008
【図８】
2006016426.tif 000009
【図９】
2006016426.tif 000010
【図１０】
2006016426.tif 000011
【図１１】
2006016426.tif 000012
【図１２】
2006016426.tif 000013
【図１３】
2006016426.tif 000014
【図１４】
2006016426.tif 000015
【図１５】
2006016426.tif 000016
【図１６】
2006016426.tif 000017
【図１７】
2006016426.tif 000018
【図１８】
2006016426.tif 000019
【図１９】
2006016426.tif 000020
【図２０】
2006016426.tif 000021
【図２１】
2006016426.tif 000022
【図２２】
2006016426.tif 000023
【図２３】
2006016426.tif 000024
【図２４】
2006016426.tif 000025
【図２５】
2006016426.tif 000026
【図２６】
2006016426.tif 000027
【図２７】
2006016426.tif 000028
【国際調査報告】
2006016426.tif 000029
2006016426.tif 000030
2006016426.tif 000031
2006016426.tif 000032